(57)【要約】【課題】衛生薄葉紙製品の取り出し性を改善する。【解決手段】折り畳み積層物を搬送する搬送平面と、搬送平面上方に位置して折り畳み積層物の最上片を持ち上げる持ち上げ手段と、搬送方向と平行に延在する上ガイド縁を有し、その上ガイド縁が持ち上げられた最上片に接する折り目ガイドと、折り目ガイドに対して上方で重なる下ガイド縁を有する折り返しガイドと、折り畳み積層物の上面に圧接する圧接手段とを備える折り畳み積層物の最上片折り返し装置により解決される。【選択図】図１
2009160126.tif 000002
【特許請求の範囲】
【請求項１】
折り返されたシートの折り返し片が隣接する下位及び上位の折り返し内面に嵌るように互い違いに重ねられた積層構造をなす折り畳み積層物の上方に位置してその最上面のシートの最上片を吸引して持ち上げる吸引面を有する吸引板と、
前記折り畳み積層物の折り返し縁に対して平行に延在し前記持ち上げられた最上片の上面側所定位置に接する上ガイド縁を有する折り目ガイドと、
前記持ち上げられた最上片の下面側所定位置に接する下ガイド縁を有する折り返しガイドと、を備え、
前記折り返しガイドは、折り目ガイドの上方位置とこれから外れた位置とを往復移動可能とされ、
前記吸引板により最上片が吸引された状態で、前記折り返しガイドが、折り目ガイドから外れた位置から折り目ガイド上方に移動し、
その下ガイド縁と前記折り目ガイドとの重なり過程で、吸引された最上片の一部が折り目ガイドに重なるように折り返されることを特徴とする折り畳み積層物の最上片の折り返し装置。
【請求項２】
前記折り返しガイドにより折り目ガイドに沿って折り返された最上片の折り返し縁に少なくとも圧接して折り癖を付ける圧接手段を備える請求項１記載の折り畳み積層物の最上片折り返し装置。
【請求項３】
前記吸引板は、折り畳み積層物の折り返し縁に沿う回転軸を有し、この回転軸周りに回動自在とされている請求項１又は２記載の折り畳み積層物の最上片折り返し装置。
【請求項４】
吸引面を有する吸引板によって、折り返されたシートの折り返し片が隣接する下位及び上位の折り返し内面に嵌るように互い違いに重ねられた積層構造をなす折り畳み積層物の上方に位置してその最上面のシートの最上片を吸引して持ち上げる工程と、
前記折り畳み積層物の最上片上に、その最上片の自由端縁部が露出されるようにして折り目ガイドを位置させる工程と、
前記最上片上に折り目ガイドが位置され、かつ、その折り目ガイドの縁より露出する最上片の自由端部が持ち上げられている状態で、その持ち上げられている最上片の下面側から折り目ガイドと吸引面との間に折り返しガイドを挿入し、前記持ち上げられている最上片の一部を折り目ガイド上に折り返す工程と、を有することを特徴とする折り畳み積層物の最上片折り返し方法。
【請求項５】
折り返しガイド及び折り目ガイドにより最上片が折り返された折り畳み積層物の上面を圧接して、前記折り返しの折り癖を付ける工程を有する請求項４記載の折り畳み積層物の最上片折り返し方法。
【発明の詳細な説明】
【技術分野】
【０００１】
本発明は、折り畳み積層物の最上片折り返し方法及び折り畳み積層物の最上片折り返し装置に関する。
【背景技術】
【０００２】
ティシュペーパーやペーパータオル、キッチンペーパー等の衛生薄葉紙を束として収納箱に納めた衛生薄葉紙製品は良く知られる。
この種の製品では、例えば、特許文献１や特許文献２のように、上面の中央に楕円環状の裂開用ミシン目線を有する紙箱の内面に、前記ミシン目線を被覆するようにして、スリットを有する無色透明の樹脂性フィルムを貼付した構造の衛生薄葉紙収納箱が用いられる。
使用に際しては、前記環状のミシン目を切り剥がして、カートン上面に取り出し口を形成し、その取り出し口内に露出する樹脂製フィルムのスリットを介して内部に収められている衛生薄葉紙を一枚一枚、摘み出して使用する。
他方、このようにスリットから衛生薄葉紙を一枚一枚取り出して使用する衛生薄葉紙製品では、衛生薄葉紙を一枚取り出すと後続の一枚の一部が前記スリットから露出されるように内部に納めた衛生薄葉紙束が構成されている。
この衛生薄葉紙束は、一般的には、衛生薄葉紙を折り返し、その折り返し片が隣接する下方及び上方の折り返し内面に嵌るようにして、互い違いに重ねられた積層構造をなしており、インターフォルダと呼ばれる折り畳み積層設備により製造されている。
【特許文献１】特開２００２−２４９９９４
【特許文献２】特開２００２−２３８７９９
【発明の開示】
【発明が解決しようとする課題】
【０００３】
しかし、インターフォルダで衛生薄葉紙束を製造すると最上面に位置する折り返し片の縁が束の側縁近傍に位置されるため、そのまま収納箱に納めると、上述のとおりに収納箱に取り出し口を形成してもこの自由片の縁が取り出し口には露出されない。
従って、最初の一枚を取り出すときに、ティシュペーパーの縁ではなく面を摘まなければならず、非常に摘みづらい製品となる。
また、最上位の薄葉紙のみならずその下層の数枚の薄葉紙も同時に摘まれて使用開始時に複数枚が無駄になる製品となる。
そこで、衛生薄葉紙束の最上位の自由片を取り出し口が位置する収納箱中央に位置されるように最上片を折り返すことも提案されているが、この作業は手作業であったり、特に開示されるような複雑な機構を要したり煩雑な工程を要するものであるため、シート束の製造の高速化の妨げとなる。
そこで、本発明の主たる課題は、高速かつ簡易にシート束の最上面に位置する最上片の縁を中央等の所定位置に位置するように折り返す方法及び装置を提供することにある。
【課題を解決するための手段】
【０００４】
上記課題を解決した本発明は次記の通りである。
＜請求項１記載の発明＞
折り返されたシートの折り返し片が隣接する下位及び上位の折り返し内面に嵌るように互い違いに重ねられた積層構造をなす折り畳み積層物の上方に位置してその最上面のシートの最上片を吸引して持ち上げる吸引面を有する吸引板と、
前記折り畳み積層物の折り返し縁に対して平行に延在し前記持ち上げられた最上片の上面側所定位置に接する上ガイド縁を有する折り目ガイドと、
前記持ち上げられた最上片の下面側所定位置に接する下ガイド縁を有する折り返しガイドと、を備え、
前記折り返しガイドは、折り目ガイドの上方位置とこれから外れた位置とを往復移動可能とされ、
前記吸引板により最上片が吸引された状態で、前記折り返しガイドが、折り目ガイドから外れた位置から折り目ガイド上方に移動し、
その下ガイド縁と前記折り目ガイドとの重なり過程で、吸引された最上片の一部が折り目ガイドに重なるように折り返されることを特徴とする折り畳み積層物の最上片の折り返し装置。
【０００５】
＜請求項２記載の発明＞
前記折り返しガイドにより折り目ガイドに沿って折り返された最上片の折り返し縁に少なくとも圧接して折り癖を付ける圧接手段を備える請求項１記載の折り畳み積層物の最上片折り返し装置。
【０００６】
＜請求項３記載の発明＞
前記吸引板は、折り畳み積層物の折り返し縁に沿う回転軸を有し、この回転軸周りに回動自在とされている請求項１又は２記載の折り畳み積層物の最上片折り返し装置。
【０００７】
＜請求項４記載の発明＞
吸引面を有する吸引板によって、折り返されたシートの折り返し片が隣接する下位及び上位の折り返し内面に嵌るように互い違いに重ねられた積層構造をなす折り畳み積層物の上方に位置してその最上面のシートの最上片を吸引して持ち上げる工程と、
前記折り畳み積層物の最上片上に、その最上片の自由端縁部が露出されるようにして折り目ガイド板を位置させる工程と、
前記最上片上に折り目ガイド板が位置され、かつ、その折り目ガイド板の縁より露出する最上片の自由端部が持ち上げられている状態で、その持ち上げられている最上片の下面側から折り目ガイド板と吸引面との間に折り返しガイド板を挿入し、前記持ち上げられている最上片の一部を折り目ガイド板上に折り返す工程と、を有することを特徴とする折り畳み積層物の最上片折り返し方法。
【０００８】
＜請求項５記載の発明＞
折り返しガイド及び折り目ガイドにより最上片が折り返された折り畳み積層物の上面を圧接して、前記折り返しの折り癖を付ける工程を有する請求項４記載の折り畳み積層物の最上片折り返し方法。
【発明の効果】
【０００９】
以上のとおり本発明によれば、高速かつ簡易に折り畳み積層物の最上面に位置する自由片の縁を中央に位置するように折り返す方法及び装置が提供される。
【発明を実施するための最良の形態】
【００１０】
次いで、本発明の実施の形態を図１〜１２を参照しながら以下に詳述する。
本発明の装置Ｘ１は、折り畳み積層物１の最上面に位置する最上片１Ｕを折り返して、その最上片１Ｕの端縁１Ａを折り畳み積層物１の中央など所定位置に位置せしめる装置である。
【００１１】
ここで、本発明が対象とする折り畳み積層物１は、図１及び２に示すように、折り返されたシートの折り返し片が隣接する下位及び上位の折り返し内面に嵌るように互い違いに重ねられた積層構造をなすものであり、一枚を取り出すと後続の一枚の一部が収納箱外に引き出される所謂ポップアップ形式をとる製品に用いられるものである。
【００１２】
本発明では、シートの素材及び物性について特に限定されないが、シートの好適な具体例を示せばティシュペーパー、キッチンペーパー等の衛生薄葉紙、化繊混抄紙や不織布シート等である。
これらの折り畳み積層物１は、ロータリー式インターフォルダ、マルチスタンド式インターフォルダなどの既知のインターフォルダにより製造することができる。インターフォルダの形式等は特に限定されない。
【００１３】
本発明の装置Ｘ１は、例えば、上述のロータリー式インターフォルダの後段に位置されて、このインターフォルダから順次送られてくる折り畳み積層物の最上片を順次折り返して後段に排出するように設置される。
【００１４】
本形態の装置Ｘ１では、インターフォルダから送られてきた折り畳み積層物を、その最上片が上面側となるようにして載置する水平な載置面１０を有する。この載置面１０は、例えば後段への移行が可能なように搬送コンベアの搬送平面により構成される。搬送コンベアとしては、例えば、少なくとも一つの駆動ローラ１１を備える一対のローラ間に無端ベルト１２を巻きかけて構成されるベルトコンベアが利用できる。
【００１５】
図示の形態では、載置面１０を構成する搬送平面の搬送方向に対して直行する方向に折り畳み積層物の折り返し縁が延在する方向でかつ端縁１Ａが下流側となるようにして載置されるように構成され、かかる状態で下流へと搬送可能となっている。
【００１６】
本形態の装置Ｘ１では、特に図３及び図４に示すように、前記載置面１０の上方位置に、吸引面２０Ａが前記載置面１０に対向するようにして設けられた吸引板２０が配されている。吸引板２０は、前記載置面１０の幅方向一方縁側（図示例では下流側）に変位して配されており、その吸引板２０配設位置側に折り畳み積層物１の最上片１Ｕの端縁１Ａ側が位置される。
これにより吸引板２０による吸引によって搬送平面上の折り畳み積層物１の最上片１Ｕが持ち上げられる。
【００１７】
本形態では、吸引板２０は、一方面に多数の通気孔が形成された吸引面を有し、内部が中空であって、この内部に連通する負圧ポンプ等によって当該内空を負圧にすることで外気等を吸引可能に構成された既知の構成のものを用いることができる。
なお、吸引板２０における具体的な吸引力は、折り畳み積層物１の最上片１Ｕのみが持ち上がる程度に調整する。吸引力が強すぎると最上片以外のシートが積層物本体から剥離し、吸引力が小さいと十分に最上片１Ｕが持ち上がらない。
【００１８】
吸引力の設定に関しては、シートの坪量等及び折り畳み積層物１と吸引面２０Ａとの距離、折り畳み積層物１の大きさ等に応じて適宜設計すればよい。
好適な、持ち上げ量を例示すれば、最上片の端縁が概ね３〜２０ｍｍ、好ましくは５〜１０ｍｍ程度持ち上がるようにするのがよい。
【００１９】
他方、本形態の吸引板２０は、好適な例として、図５及び６に示すように、その最上片１Ｕの端縁１Ａから遠い側の縁に、折り畳み積層物１の折り返し縁１Ｂに沿う回転軸２１が設けられており、吸引機能を発揮しつつ当該回転軸周りに回転可能となっている。吸引状態で他方縁側に転回することで最上片１Ｕがさらに持ち上げられる。
【００２０】
他方、本発明の装置Ｘ１は、図７及び８に示すように、折り畳み積層物１の折り返し縁１Ｂに対して平行に延在する（図示例であれば搬送方向と直行する方向に延在する）上ガイド縁４０ｅを有する折り目ガイド４０を備える。
この折り目ガイド４０は、吸引板２０よりも上流側に位置し、かつ折り畳み積層物１の上面と吸引板２０との間の高さ位置で前記折り畳み積層物１の上面を所定範囲被覆して、前記吸引板２０による最上片１Ｕの持ち上げ範囲を調整するとともに、その下ガイド縁によって最上片１Ｕの折り返し位置を決定する。
【００２１】
なお、折り目ガイド４０は、前記上ガイド縁４０ｅが折り畳み積層物１の幅方向の中央近傍に位置となるように折り目ガイド又は折り畳み積層物の位置を調整する。なお、本装置の構成では搬送平面の移動量でその調整可能である。
【００２２】
他方、本発明の装置Ｘ１は、図７〜８に示すように、折り畳み積層物１の上面から外れた位置から、前記吸引板２０と折り目ガイド４０との間を通って前記折り目ガイド４０の上方位置まで往復可能にスライド移動する折り返しガイド３０を備える。
この折り返しガイド３０は、特に図９及び図１０に示すように、前記折り目ガイド４０の上ガイド縁４０ｅに対向する側からスライド移動し、前記吸引板２０によって最上片１Ｕが持ち上げられている場合に、最上片１Ｕの下面側にその下ガイド縁３０ｅが接した後、さらにその下ガイド縁３０ｅが折り目ガイド４０上にまで移動することで、前記最上片１Ｕを折り返しガイド３０と折り目ガイド４０との間に案内する。
すなわち、折り返しガイド３０の下ガイド縁３０ｅと前記折り目ガイド４０との重なり過程で、吸引された最上片１Ｕの一部が折り目ガイド４０に重なるように折り返される。
【００２３】
本形態の装置Ｘ１では、好適な例として、折り返しガイド３０によって最上片が案内されて折り返しが開始されると同時に又はその前において吸引板２０の吸引が停止するように構成されている。これによって折り返しガイド３０による最上片１Ｕの折り返しがスムーズに行なわれる。なお、この吸引停止は、例えば、折り返しガイドが所定位置に到達したときに吸引を停止するように既知のスイッチ手段を用いて構成すればよい。
【００２４】
他方、本形態の装置Ｘ１は、好適に前記折り目ガイド４０が、前記吸引板２０よりも上流側に位置しており、前記載置面１０を構成する搬送平面を下流側に移動させることで、折り返しガイド３０が折り畳み積層物１の最上片１Ｕ上から外れるように構成されている。
【００２５】
他方、本発明の装置Ｘ１は、好適な例として、前記折り目ガイド４０及び折り返しガイド３０の後段（下流位置）に最上片１Ｕが折り返された折り畳み積層物１の最上面に圧接する圧接手段を備える。
【００２６】
図示例の装置Ｘ１では、圧接手段は、プレスベルト５０である。このプレスベルト５０は、少なくとも一対の回動自在なローラと、一つ以上の駆動ローラと、これらの間に巻きかけられた無端ベルトとを備え、搬送平面と対面する圧接平面５１が搬送平面と同速度で同方向に移動するように構成されている。そして、前記圧接平面５１と前記搬送平面１０との間の離間距離が、調整可能とされており、この離間距離が折り畳み積層物の高さ未満にされることで、両平面間を通る間に、前記圧接平面５１が、上述の折り目ガイド及び折り返しガイドによって最上片の一部が折り返された折り畳み積層物１の最上面に圧接する。
この圧接により、最上片１Ｕの折り返し縁１ｅが折り癖付けされ、前記折り目ガイド４０及び折り返しガイド３０によって折り返された最上片１Ｕが元に戻るおそれが小さくなる。
【００２７】
かくして、最上面に位置する最上片１Ｕの端縁１Ａが所定位置となるように折り返された状態の折り畳み積層物１が得られる。
【００２８】
＜第２の実施の形態＞
次いで、本発明の第２の実施の形態を図１３〜１７を参照しながら説明する。第２の実施の形態は、第１の実施の形態と搬送方向が相違する形態である。構成において第１の実施の形態と同一の点については説明を省略し、相違する点のみを説明する。
【００２９】
本形態の装置Ｘ２は、図１３に示されるように、インターフォルダから送られてきた折り畳み積層物が載置される載置面を搬送平面１０が前記折り畳み積層物１の折り返し縁１Ｂが進行方向に沿う方向に移動するように構成されている。
そして図１４及び図１５に示すように、この搬送平面１０の所定の上方位置の幅方向の一方側に変位して吸引板が、他方側に変位して折り目ガイド板が配されている。
従って、折り畳み積層物１は搬送平面１０の移動によって図１４及び図１５に示されるようにこれら吸引板２０等の下方に位置される。吸引板及び折り目ガイドの構造については第１の実施の形態と同様である。
なお、図からも明らかなとおり、最上片１Ｕの端縁１Ａが吸引板側となるように折り畳み積層物を搬送させる。
【００３０】
次いで、折り畳み積層物が当該位置に搬送されたら搬送を停止させ、吸引板２０の吸引機能を発揮させて前記最上片１Ｕを吸引して持ち上げ、図１６及び図１７に示されるように、折り返しガイド３０を作用させて最上片の折り返しを行う。折り返しガイドの構造及びこれと折り目ガイドによる折り返し機構は第１の実施の形態と同様である。
【００３１】
次いで、本形態の装置Ｘ２では、折り目ガイド４０及び折り返しガイド３０の間に折り返された最上片が位置されている状態で、そのまま搬送平面１０を下流側に移動させる。
【００３２】
各ガイド板の上下面は平坦に構成されており、搬送平面１０の移動にともなって、各ガイド板３０，４０が折り畳み積層物から外れる。
【００３３】
かくして、最上片が折り返された状態の折り畳み積層物が形成される。なお、第１の実施の形態と同様に、この後に、図示はしないが好適に搬送平面１０に対面するプレス面を備えるプレスベルトによって最上片１Ｕの折り返し縁１ｅに折り癖付けするのが望ましい。
【産業上の利用可能性】
【００３４】
本発明は、キッチンペーパー、ペーパータオル、手拭き用等の清拭用ワイプ等の衛生薄葉紙が複数枚重層された衛生薄葉紙積層体を収納箱内部に収納し、その収納箱の上面に設けた取出口から衛生薄葉紙積層体のうち最上面の衛生薄葉紙を１枚ずつ取り出す構成のシート製品に利用可能である。
【図面の簡単な説明】
【００３５】
【図１】本発明にかかる折り畳み積層物を説明するための概略図である。
【図２】図１のII−II矢視の概略図である。
【図３】本発明にかかる折り返し装置及び折り返し方法を説明するための平面概略図である。
【図４】図３のIV−IV矢視の概略図である。
【図５】本発明にかかる装置の特に吸引板を説明するための平面概略図である。
【図６】図５のVI−VI矢視の概略図である。
【図７】本発明にかかる折り返し装置及び折り返し方法を説明するための他の平面概略図である。
【図８】図７のVIII−VIII矢視の概略図である。
【図９】本発明に従って折り返しがなされた折り畳み積層物を説明するための平面概略図である。
【図１０】図９のX−X矢視の概略図である。
【図１１】本発明の装置の特に圧接手段を説明するための平面概略図である。
【図１２】図１１のXII−XII矢視の概略図である。
【図１３】第２の実施の形態を説明するための平面図である。
【図１４】第２の実施の形態の折り返し装置及び折り返し方法を説明するための平面概略図である。
【図１５】図１４のXV−XV矢視の概略図である。
【図１６】第２の実施の形態の折り返し装置及び折り返し方法を説明するための他の平面概略図である。
【図１７】図１６のXVII−XVII矢視の概略図である。
【符号の説明】
【００３６】
１…折り畳み積層物、１Ｕ…折り畳み積層物の最上片、１Ａ…最上片の端縁、１Ｂ…最上片を構成するシートの折り返し縁、１ｅ…最上片の折り返し縁、１０…載置面又は搬送平面、１１…駆動ローラ、１２…無端ベルト、２０…吸引板、２０Ａ…吸引面、２１…回転軸、３０…折り返しガイド、３０ｅ…下ガイド縁、４０…折り目ガイド、４０ｅ…上ガイド縁、５０…プレスベルト、５１…圧接平面、Ｘ１…折り返し装置。
【図１】
2009160126.tif 000003
【図２】
2009160126.tif 000004
【図３】
2009160126.tif 000005
【図４】
2009160126.tif 000006
【図５】
2009160126.tif 000007
【図６】
2009160126.tif 000008
【図７】
2009160126.tif 000009
【図８】
2009160126.tif 000010
【図９】
2009160126.tif 000011
【図１０】
2009160126.tif 000012
【図１１】
2009160126.tif 000013
【図１２】
2009160126.tif 000014
【図１３】
2009160126.tif 000015
【図１４】
2009160126.tif 000016
【図１５】
2009160126.tif 000017
【図１６】
2009160126.tif 000018
【図１７】
2009160126.tif 000019